(57)【要約】【課題】ユーザーのサイズ表示デカルの管理を容易にしかつその紛失を防止する画像形成装置を提供することにある。【解決手段】給紙トレイに貼り付ける給紙サイズを表示したサイズ表示デカルを備えた画像形成装置において、前記サイズ表示デカル１０の大きさが、画像形成装置の開閉式カバー５に設置されている補強リブ５ａ，５ｂ，５ｃ，５ｄ間隔の大きさより小さいことを特徴とする。【選択図】　　　　図３
2004051295.tif 000002
【特許請求の範囲】
【請求項１】
給紙トレイに貼り付ける給紙サイズを表示したサイズ表示デカルを備えた画像形成装置において、前記サイズ表示デカルの大きさが、画像形成装置の開閉式カバーに設置されている補強リブ間隔の大きさより小さいことを特徴とする画像形成装置。
【請求項２】
前記サイズ表示デカルを、画像形成装置の作像系ユニットから離れた位置に設置することを特徴とする請求項１記載の画像形成装置。
【請求項３】
前記サイズ表示デカルを収納する前記開閉式カバーに設置されている補強リブが、前記サイズ表示デカルの端面に接する部分がえぐれている形状を有することを特徴とする請求項１記載の画像形成装置。
【請求項４】
前記開閉式カバーが、前記サイズ表示デカルの端面に接する部分がえぐれている補強リブの近傍に、前記開閉カバーの底面から高さ０．３ｍｍ以上のリブ形状を備えていることを特徴とする請求項３記載の画像形成装置。
【発明の詳細な説明】
【０００１】
【発明の属する技術分野】
本発明は、電子写真方式を利用した複写機、ＦＡＸ、プリンタ等の画像形成装置に関するものである。
【０００２】
【従来の技術】
図６は画像形成装置の従来の給紙トレイとこれに貼り付けるサイズ表示デカルを示す概略図である。電子写真方式の画像形成装置には、転写紙を入れる給紙トレイ４が設置されており、そこにユーザーが転写紙をセットし紙サイズを設定する。
【０００３】
図７は種々の表示のデカルを有するサイズ表示デカルを示す図である。その給紙トレイ４には、設定した転写紙サイズのデカルを貼る部分４ａがあり、この４ａに紙サイズを表示したデカル（以下サイズ表示デカルと記す）１０から紙サイズに対応した部分１０ａを貼ることによって、どの紙サイズを設定したか、ユーザーが認識できるようになっている。
【０００４】
この画像形成装置の給紙トレイ４に貼るサイズ表示デカル１０は、図６のように各紙のサイズのデカルがそれぞれ２つずつ設けられ、もし、給紙サイズの変更を行っても、再度デカルの貼り直しをすることができる。
【０００５】
【発明が解決しようとする課題】
しかしながら、そのサイズ表示デカル１０は、画像形成装置に、図示しない取扱説明書等と一緒に同梱されているが、一度デカルを給紙トレイ４に貼り付けてしまうと、デカルの置き場所がないため、ユーザーが自分で管理しなければならず、よく紛失してしまうことがあり、問題となっていた。
【０００６】
上記問題を解決するために、本発明の目的は、ユーザーのサイズ表示デカルの管理を容易にしかつその紛失を防止する画像形成装置を提供することにある。
【０００７】
【課題を解決するための手段】
前記の課題を解決するために、請求項１記載の発明では、給紙トレイに貼り付ける給紙サイズを表示したサイズ表示デカルを備えた画像形成装置において、前記サイズ表示デカルの大きさが、画像形成装置の開閉式カバーに設置されている補強リブ間隔の大きさより小さい画像形成装置を最も主要な特徴とする。
【０００８】
請求項２記載の発明では、前記サイズ表示デカルを、画像形成装置の作像系ユニットから離れた位置に設置する請求項１記載の画像形成装置を主要な特徴とする。
【０００９】
請求項３記載の発明では、前記サイズ表示デカルを収納する前記開閉式カバーに設置されている補強リブが、前記サイズ表示デカルの端面に接する部分がえぐれている形状を有する請求項１記載の画像形成装置を主要な特徴とする。
【００１０】
請求項４記載の発明では、前記開閉式カバーが、前記サイズ表示デカルの端面に接する部分がえぐれている補強リブの近傍に、前記開閉カバーの底面から高さ０．３ｍｍ以上のリブ形状を備えている請求項３記載の画像形成装置を主要な特徴とする。
【００１１】
【発明の実施の形態】
以下、図面により本発明の実施の形態を詳細に説明する。図１は本発明が適用される画像形成装置を示す概略斜視図である。この画像形成装置は画像読み取り部（スキャナ部）１と画像形成部（プリンタ部）２から構成され、スキャナ部１とプリンタ部２の間に排紙部３が設置され、転写紙はそこに排出される。
【００１２】
そして、プリンタ部２の右内部には感光体ドラム、現像ユニット、帯電除電ユニットなどの作像系ユニット群７が設置されており、またプリンタ部２の下部には給紙トレイ４（４ｂ、４ｃ）が２段設置されている。ユーザーは、ぞれぞれの給紙トレイ４ｂ，４ｃに転写紙をセットし、そのさいに給紙トレイごとに紙サイズを設定し、その紙サイズにあったサイズ表示デカル１０ａを給紙トレイ４の前面に貼り付ける。
【００１３】
図２は図１の画像形成装置の前カバーを説明する概略図である。また、プリンタ部２には前カバー（開閉式カバー）５があり、その前カバー５を開けると、ジャム用紙取り出し手順などが記載されたシート６（以下手順説明シートと記す）が前カバー５の内側に設けられたリブ５ａや突起５ｂなどに嵌め込まれるように設置されている。そして、図２に示されるように、サイズ表示デカル１０の大きさをあらわす寸法ｘは、前カバー５のリブ５ａ間の距離Ｘよりも小さくなっている。
【００１４】
図３はリブ構造を説明する図２の前カバーを示す概略図である。前カバー５の補強リブ５ａは、図３に示されるようなリブ形状５ａと５ｃを有しており、補強リブ５ｃより右側には格子状のリブ５ｄが設けられている。そのリブ５ｃ、５ｄの部分は、図１より照らし合わせるとプリンタ部２に内蔵されている作像系ユニット群７の前面に位置するようになっている。
【００１５】
そして、その補強リブ５ａ，５ｃからなる寸法Ｘ，Ｙは、サイズ表示デカル１０の寸法ｘ，ｙよりも同寸法かそれ以上の寸法になっている。
【００１６】
図４は図２の前カバーの変形例を示す概略図である。図４に示すように、前カバー５の、手順説明シート６を設置する補強リブの端部には、少なくとも１箇所のえぐれ形状５ｅを形成している。
【００１７】
図５は図４の前カバーのＡ−Ａ断面図である。図４および図５に示すように、前カバー５の底面には、テーパ形状のリブ５ｆが形成され、その高さは底面より０．３ｍｍ以上となっている。このリブは、テーパ形状でなくてもよい。
【００１８】
【発明の効果】
前記したように、請求項１によれば、サイズ表示デカルの大きさをあらわす寸法ｘは、前カバー５の補強リブ間距離Ｘよりも小さくなっている構成となっているため、一度使用したサイズ表示デカルを、手順説明シートと前カバーの間に収納することができる。
【００１９】
請求項２によれば、作像系ユニット群の前面に位置するようなリブと、リブによる寸法Ｘ，Ｙがサイズ表示デカルの大きさｘ，ｙよりも大きいことから、サイズ表示デカルが手順説明シートと前カバーの間に収納できる。また、その収納位置は、作像系ユニット群の前面から離れた位置となるので、作像系ユニットから飛散するトナーの汚れを避けることができ、きれいな状態でサイズ表示デカルを収納することができる。
【００２０】
請求項３によれば、手順説明シートを設置する補強リブの端部に、少なくとも１箇所のえぐれ形状を形成しているため、ユーザーが指をえぐれ形状に差し込めることができるので、手順説明シートを再度取り出すことが容易に行える。
【００２１】
請求項４によれば、前カバーの底面に、０．３ｍｍ以上の高さのテーパ形状のリブが形成されているため、前カバーの底面と、操作手順シートおよびサイズ表示デカルとのあいだに隙間ができるので、ユーザーがその隙間に爪を入れることができ、操作手順シートおよびサイズ表示デカルを容易に取り出すことができる。
【図面の簡単な説明】
【図１】本発明が適用される画像形成装置を示す概略斜視図である。
【図２】図１の画像形成装置の前カバーを説明する概略図である。
【図３】リブ構造を説明する図２の前カバーを示す概略図である。
【図４】図２の前カバーの変形例を示す概略図である。
【図５】図４の前カバーのＡ−Ａ断面図である。
【図６】画像形成装置の従来の給紙トレイとこれに貼り付けるサイズ表示デカルを示す概略図である。
【図７】種々の表示のデカルを有するサイズ表示デカルを示す図である。
【符号の説明】
４　給紙トレイ
５　前カバー（開閉式カバー）
５ａ　補強リブ
５ｂ　補強リブ
５ｃ　補強リブ
５ｄ　補強リブ
５ｅ　えぐれ形状のリブ
５ｆ　テーパ形状のリブ
７　作像系ユニット
１０　サイズ表示デカル
【図１】
2004051295.tif 000003
【図２】
2004051295.tif 000004
【図３】
2004051295.tif 000005
【図４】
2004051295.tif 000006
【図５】
2004051295.tif 000007
【図６】
2004051295.tif 000008
【図７】
2004051295.tif 000009